(57)【要約】【課題】アダプタが取り付けられる取付部の厚みが異なっても、アダプタに取り付けられる水栓部品と取付部との間隔を一定にすることができ、水栓部品側の取付や水栓部品の使用等に支障を及ぼすことのない水栓部品の取付構造を提供すること。【解決手段】壁面１に取付固定されるアダプタ１２に、止水栓２０を取り付ける水栓部品の取付構造１０において、アダプタ１２には止水栓１２が挿嵌接続される挿嵌部１７が設けられると共に、挿嵌部１７には鍔部１９が設けられ、止水栓１２にはアダプタ１２に挿嵌される挿嵌部２６が設けられると共に、挿嵌部２６の奥端側には雄ねじ部３２が設けられ、鍔部１９に当接可能な鍔部５４を備えると共に、雄ねじ部３２に螺合可能な雌ねじ部５２を有する円筒状部材５０が止水栓２０の雄ねじ部３２に螺合されると共に、アダプタ１２の鍔部１９と円筒状部材５０の鍔部５４とが当接されて締結用クリップ４で係止されるようにした。【選択図】    図１
2005023641.tif 000002
【特許請求の範囲】
【請求項１】
給水配管・給湯配管等に接続されると共に壁面等の取付部に取付固定されるアダプタに、エルボや水栓等の水栓部品を取り付ける水栓部品の取付構造であって、
前記アダプタには前記水栓部品が挿嵌接続される挿嵌部が設けられると共に、該挿嵌部には鍔部が設けられ、
前記水栓部品には前記アダプタに挿嵌される挿嵌部が設けられると共に、該挿嵌部の奥端側には雄ねじ部が設けられ、
前記アダプタの鍔部に当接可能な鍔部を備えると共に、前記水栓部品の雄ねじ部に螺合可能な雌ねじを有する円筒状部材が前記水栓部品の雄ねじに螺合されると共に、前記アダプタの鍔部と前記円筒状部材の鍔部とが当接されて締結用クリップで係止されることを特徴とする水栓部品の取付構造。
【発明の詳細な説明】
【０００１】
【発明の属する技術分野】
本発明は、給水配管・給湯配管等に接続されると共に壁面等の取付部に取付固定されるアダプタに、エルボや水栓等の水栓部品を取り付ける水栓部品の取付構造に関する。
【０００２】
【従来の技術】
従来、給水配管・給湯配管等に接続されると共に壁面等の取付面に取付固定されるアダプタに、エルボや水栓等の水栓部品を取り付ける水栓部品の取付構造が知られている。例えば、図３にその水栓部品の取付構造の一例を示す。この水栓部品の取付構造６０は、取付部の一例である浴室（図示省略）の壁面１に取付固定され、霧状のミストシャワーを吐出可能なミストシャワー５がその上部に取り付けられたボックス６内に取り付け固定されるものである。この取付構造１０では、壁面１裏側に引きまわされた配管（図示省略）にその奥端側が接続された略円筒形状のアダプタ１２が取付固定されている。アダプタ１２はナット１８により壁面に取り付け固定されている。また、アダプタ１２の先端には鍔部１９が周設されている。また、水栓部品の一例である止水栓６２がアダプタ１２に接続固定されている。アダプタ１２側に接続される止水栓６２の第一接続部６４には、その長手方向中間付近に、上記したアダプタ１２の鍔部１９に当接可能な鍔部６６が周設されている。また、第一接続部６４の鍔部６６よりも先端側には、アダプタ１２側に挿嵌接続可能な挿嵌部６８が設けられている。そして、アダプタ１２の鍔部１９と止水栓６２の鍔部６６が当接されるまで、この挿嵌部６８がアダプタ１２に挿嵌されて、鍔部１９と鍔部６６とが当接されて位置決めされた状態で両鍔部１９、６６を係止固定する締結用クリップ４が取り付けられて、アダプタ１２に止水栓６２が位置決めされつつ取付固定される（例えば、特許文献１参照。）。
【０００３】
【特許文献１】
実開昭５９−２２３９０号公報（第１図及び第２図）
【０００４】
【発明が解決しようとする課題】
ところが、上記した従来の取付構造では、以下のような問題が生じていた。アダプタ１２が取付固定される壁面１等の取付部は、これが設置される現場において適宜に選択されて設置されているものである。よって、取付部の厚みは取付部の種類によって異なっていることが多い。また、同じ種類の取付部であってもその厚みが微妙に異なっていることもある。ここで、従来の取付構造１０においては、アダプタ１２に対して止水栓６２等の水栓部品は一定位置で位置決めされることとなっている。よって、取付部の厚みが異なると、水栓部品から取付部までの距離（いわゆる「出寸法」）も異なることになってしまう。しかしながら、水栓部品から取付部までの距離が一定ではないと、例えば図３に示すように、アダプタ１２と止水栓６２とにより位置決めがなされると、あらかじめ壁面１からの距離を想定して寸法を決められたボックス６の端部などと壁面１との位置合わせが困難となり、ボックス６の端部と壁面１との間に隙間が生じたり、ボックス６の端部を壁面１に対して位置決めしようとすれば、アダプタ１２と止水栓６２との接続が困難となるなどの問題が生じていた。また、図３に示すように、壁面１とボックス６との位置決めが問題となるような場合に限らず、水栓部品と取付部との間隔があらかじめ想定していたよりも狭くなってしまったような場合には、例えば、回動可能なエルボの先にシャワーホースが取り付けられているような水栓を取り付ける場合に、取付部との間隔が狭いために取付部にシャワーホースが干渉してしまいシャワーの操作性に支障を及ぼすなど、水栓部品の使用に支障を及ぼすような問題も生じていた。
【０００５】
本発明は上記した従来の水栓部品の取付構造の問題点を解消するものであり、アダプタが取り付けられる取付部の厚みが異なっても、アダプタに取り付けられる水栓部品と取付部との間隔を一定にすることができ、水栓部品側の取付や水栓部品の使用等に支障を及ぼすことのない水栓部品の取付構造を提供することを目的とする。
【０００６】
【課題を解決するための手段】
以上の課題を解決するために、本発明の採った手段を以下に説明する。本発明の水栓部品の取付構造は、「給水配管・給湯配管等に接続されると共に壁面等の取付部に取付固定されるアダプタに、エルボや水栓等の水栓部品を取り付ける水栓部品の取付構造であって、前記アダプタには前記水栓部品が挿嵌接続される挿嵌部が設けられると共に、該挿嵌部には鍔部が設けられ、前記水栓部品には前記アダプタに挿嵌される挿嵌部が設けられると共に、該挿嵌部の奥端側には雄ねじ部が設けられ、前記アダプタの鍔部に当接可能な鍔部を備えると共に、前記水栓部品の雄ねじ部に螺合可能な雌ねじを有する円筒状部材が前記水栓部品の雄ねじに螺合されると共に、前記アダプタの鍔部と前記円筒状部材の鍔部とが当接されて締結用クリップで係止されることを特徴とする水栓部品の取付構造。」である。
【０００７】
本発明の取付構造は、アダプタと水栓部品との間に水栓部品の雄ねじ部に螺合可能な円筒状部材を介在させるものである。このような円筒状部材の雄ねじ部に対するねじ込み具合を調整することにより、円筒状部材を介したアダプタに対する水栓部品の位置決めを調整しつつアダプタと水栓部品とを接続することができる。よって、結果としてアダプタが固定される取付部に対する水栓部品の位置決めを調節することができるので、取付部の厚みとは無関係に取付部と水栓部品との距離を一定とすることができる。本発明において「水栓部品」とは、止水栓等の水栓類、ジョイント、配管類等、種々の水栓に関連する部品を言う。
【０００８】
【発明の実施の形態】
次に、本発明の水栓部品の取付構造の実施の形態を図を参考にして詳細に説明する。この水栓部品の取付構造１０は、取付部の一例である浴室（図示省略）の壁面１に取付固定され、霧状のミストシャワーを吐出可能なミストシャワー５がその上部に取り付けられたボックス６内に取り付け固定されるものである。
【０００９】
図１及び図２に示すように、この取付構造１０では、アダプタ１２の外周面には鍔部１４が周設されており、この鍔部１４よりも先端側を壁面１に開口された取付穴２に挿通させて、その先端を壁面１表側に露呈させている。アダプタ１２の鍔部１４よりも先端側には雄ねじ部１６が設けられており、壁面１表側からこの雄ねじ部１６にナット１８がねじ込まれて、壁面１裏側の鍔部１４とナット１８とで壁面１を挟持してアダプタ１２が壁面１に取付固定されている。また、アダプタ１２の先端には鍔部１９が周設されており、後述する止水栓２０がこの先端内部に挿嵌接続される挿嵌部１７を構成している。
【００１０】
「水栓部品」の一例である止水栓２０は、アダプタ１２側に接続される第一接続部２２と、第一接続部２２とは反対側の配管３に接続される第二接続部２４とを備えている。第一接続部２２と第二接続部２４とはその軸心が略直交するように配設されており、止水栓２０はその全体形状が略Ｌ字状に形成されている。
【００１１】
第一接続部２２は略円筒状に形成されており、その先端側には、アダプタ１２の挿嵌部１７内に挿嵌される挿嵌部２６が設けられている。挿嵌部２６は、その外形が挿嵌部１７の内径とほぼ同一に設けられると共に、その外周面に、Ｏリング２８が装着された２つの周溝３０を備えており、挿嵌部１７と挿嵌部２６との水密が図れている。また、第一接続部２２の挿嵌部２６よりも奥端側には、雄ねじ部３２が設けられている。
【００１２】
止水栓２０の本体部３４内には、アダプタ１２側から流入する湯・水中の異物を濾過するためのストレーナ３６と、湯・水の流量調節を行うためのスピンドル３８が取り付けられている。そして、第一接続部２２と略直交する方向（本例でではボックス６上部方向）に本体部３４から屈曲形成された第二接続部２４に円筒状の接続部材４０がねじ込まれている。この接続部材４０の鍔部４２に係止されたナット４４に、鍔部４２端面との間にパッキン４６を介して配管７が螺着されている。
【００１３】
次いで、円筒状部材５０について説明する。円筒状部材５０には、止水栓２０の第一接続部２２の雄ねじ部３２に螺合可能な雌ねじ部５２が設けられている。また、円筒状部材の一端側外周面には、アダプタ１２の鍔部１４に当接可能な鍔部５４が周設されている。そして、両鍔部１４及び５４が当接された状態で、これらの鍔部１４、５４を締結する締結用クリップ４が鍔部１４，５４にはめ込まれて、アダプタ１２及び円筒状部材５０の位置決め固定がなされると共に、アダプタ１２と止水栓２０との取付固定もなされる。
【００１４】
ここで、円筒状部材５０は、第一接続部２２の雄ねじ部３２へのねじ込み具合によって、第一接続部２２の軸心方向における位置の調整が可能である。よって、この円筒状部材５０の雄ねじ部３２へのねじ込み具合によって、止水栓１２のアダプタ１２に対する位置決めの調整（図のＡ矢印方向における調整）が可能であり、壁面１の厚みによっては、必要に応じてこの位置決め調整を行うことにより、壁面１と止水栓２０との距離を調整することができる。
【００１５】
このようにして、止水栓２０が取付固定されるボックス６の壁面１に対する距離も調整することができるので、例えば、ボックス６の端面と壁面１との間に隙間が生じないようにするなど、ボックス６の壁面１に対する位置決めも適切になすことができ、止水栓２０に取付固定される他の部材の取付も的確かつ容易に行うことができる。
【００１６】
なお、本実施の形態では、ミストシャワー５を備えた給水栓のボックス６に取り付けられる止水栓２０等の水栓部品の例を示したが、本発明はこれに限られず、本発明の趣旨の範囲内で種々の変更が可能である。例えば、ミストシャワー５用のボックスに限られず、湯沸かし器、給水タンク、給湯タンクなどに取付固定される水栓部品にも適用することができる。また、例示の止水栓２０のように、アダプター１２の軸心方向に対して屈曲される方向に接続部を向ける水栓部品に限られず、アダプターと同じ軸心方向に接続部が構成される水栓部品でも良い。また、水栓本体そのものを取り付ける場合でも適用できる。
【００１７】
【発明の効果】
本発明は上記のように、アダプタの鍔部に当接可能な鍔部を備えると共に、水栓部品の雄ねじ部に螺合可能な雌ねじを有する円筒状部材が備えられているので取付部の厚みが異なる場合であっても、取付部の厚みとは無関係に取付部と水栓部品との距離を一定とすることができる。
【図面の簡単な説明】
【図１】取付構造の縦断面図である。
【図２】取付構造の分解斜視図である。
【図３】従来の取付構造の縦断面図である。
【符号の説明】
１；壁面、２；取付穴、４；締結用クリップ、５；ミストシャワー、６；ボックス、７；配管、１０；取付構造、１２；アダプタ、１４；鍔部、１６；雄ねじ部、１７；挿嵌部、１８；ナット、１９；鍔部、２０；止水栓、２２；第一接続部、２４；第二接続部、２６；挿嵌部、２８；Ｏリング、３０；周溝、３２；雄ねじ部、３４；本体部、３６；ストレーナ、３８；スピンドル、４０；接続部材、４２；鍔部、４４；ナット、４６；パッキン、５０；円筒状部材、５２；雌ねじ部、５４；鍔部、６０；取付構造、６２；止水栓、６４；第一接続部、６６；鍔部、６８；挿嵌部。
【図１】
2005023641.tif 000003
【図２】
2005023641.tif 000004
【図３】
2005023641.tif 000005